(57)【要約】【課題】終端での反射が起こりにくい低周波の信号のみを処理する端末について配線作業の手間の削減やコストダウンを図ったインターホンシステムを提供する。【解決手段】モニタ付き副親機３は、ドアホン親機２との間で音声信号と映像信号とを周波数多重化して伝送する。通話副親機４は、モニタ付き副親機３との間で、映像信号に比べて低周波の音声信号を伝送する。モニタ付き副親機３は、第１端子Ｔ１と、第２端子Ｔ２と、音声信号を処理する音声回路３１と、映像信号を処理する映像回路３２を備える。音声回路３１は、音声信号の周波数帯域の信号を通過させる第１フィルタ３３ａを介して第１端子Ｔ１に接続され、別の第１フィルタ３３ｂを介して第２端子Ｔ２に接続される。映像回路３２は、映像信号の周波数帯域の信号を通過させる第２フィルタ３４を介して、ドアホン親機１からの伝送線Ｌ１が接続された第１端子Ｔ１に接続される。【選択図】図１
2014068147.tif 000002
【特許請求の範囲】
【請求項１】
上位端末との間で第１信号と第２信号とを周波数多重化して伝送する第１端末と、前記第１端末との間で前記第１信号及び前記第２信号のうち低周波側の前記第１信号を伝送する第２端末とを備え、
前記第１端末は、伝送線がそれぞれ接続される第１端子及び第２端子と、前記第１信号を処理する第１の回路と、前記第２信号を処理する第２の回路とを備え、
前記第１端子及び前記第２端子の内の一方には前記上位端末からの伝送線が、前記第１端子及び前記第２端子の内の他方には前記第２端末からの伝送線がそれぞれ接続され、
前記第１の回路は、前記第１信号の周波数帯域の信号を通過させる第１フィルタを介して前記第１端子及び前記第２端子にそれぞれ接続され、
前記第２の回路は、前記第２信号の周波数帯域の信号を通過させる第２フィルタを介して、前記第１端子及び前記第２端子のうちの何れかに接続されることを特徴とするインターホンシステム。
【請求項２】
前記第２の回路を前記第１端子及び前記第２端子の何れかに切替接続する第１切替部が前記第１端末に設けられたことを特徴とする請求項１記載のインターホンシステム。
【請求項３】
前記第１端末には検出部と制御部とが設けられ、
前記検出部は、前記第１端子及び前記第２端子に入力される信号をもとに、前記第１端子及び前記第２端子のうち前記上位端末が接続された端子を検出し、
前記制御部は、前記検出部の検出結果に基づいて、前記第１端子及び前記第２端子のうち前記上位端末が接続された端子に前記第２の回路を接続させるように前記第１切替部を制御することを特徴とする請求項２記載のインターホンシステム。
【請求項４】
前記第１端子に前記上位端末からの伝送線が接続され、
前記第２の回路は前記第２フィルタを介して前記第１端子に接続され、
前記第２の回路を前記第２端子に接続するか、終端抵抗に接続するかを切り替える第２切替部が前記第１端末に設けられたことを特徴とする請求項１乃至３の何れか１項に記載のインターホンシステム。
【請求項５】
上位端末との間で第１信号と第２信号とを周波数多重化して伝送する第１端末と、前記第１端末との間で前記第１信号及び前記第２信号のうち低周波側の前記第１信号を伝送する第２端末とを備え、
前記第１端末は、伝送線がそれぞれ接続される第１端子及び第２端子と、前記第１信号を処理する第１の回路と、前記第２信号を処理する第２の回路と、第１及び第２のバッファアンプとを備え、
前記第１端子及び前記第２端子の内の一方には前記上位端末からの伝送線が、前記第１端子及び前記第２端子の内の他方には前記第２端末からの伝送線がそれぞれ接続され、
前記第１の回路は、前記第１信号の周波数帯域の信号を通過させる第１フィルタを介して前記第１端子及び前記第２端子にそれぞれ接続され、
前記第１バッファアンプの入力端は、前記第２信号の周波数帯域の信号を通過させる第２フィルタを介して前記第１端子に接続され、前記第２バッファアンプの入力端は、別の前記第２フィルタを介して前記第２端子に接続されており、
前記第１バッファアンプの出力及び前記第２バッファアンプの出力が前記第２の回路に入力されることを特徴とするインターホンシステム。
【発明の詳細な説明】
【技術分野】
【０００１】
本発明は、インターホンシステムに関するものである。
【背景技術】
【０００２】
従来、住宅の出入り口に設置されたドアホン子器、及び、住宅内に設置される１乃至複数台の増設親機が接続され、ドアホン子器及び増設副親機との間において音声信号、映像信号の伝送を行うドアホン親機があった（例えば特許文献１参照）。
【０００３】
ドアホン親機は、伝送線を介してドアホン子器が接続される子器接続端子と、別の伝送線を介して増設副親機が接続される増設接続端子とを備えている。ドアホン子器は、来訪者を撮像するカメラを備え、カメラの映像信号と音声信号とを伝送線に重畳してドアホン親機に送信する。またドアホン親機と増設親機との間でも、映像信号と音声信号とが伝送線に重畳して伝送される。ここで、映像信号と音声信号とは周波数帯域を分離して伝送線に重畳されており、映像信号は音声信号に比べて高周波の周波数帯域を使用して伝送されている。
【先行技術文献】
【特許文献】
【０００４】
【特許文献１】特開２００８−３４９８５号公報
【発明の概要】
【発明が解決しようとする課題】
【０００５】
ところで、ドアホン親機に接続される増設親機にはモニタ付き増設親機と通話用増設親機とがある。
【０００６】
モニタ付き増設親機は、映像表示用のモニタを備えている。モニタ付き増設親機は、ドアホン子器との通話時に、ドアホン子器から送信された映像信号を、ドアホン親機を介して受信するとともに、ドアホン子器との間でドアホン親機を介して音声信号を送受信する。これによりモニタ付き増設親機は、ドアホン子器のカメラで撮影された映像をモニタに表示させるとともに、ドアホン子器との間で通話を行う。
【０００７】
通話用増設親機は、ドアホン子器との間で通話のみを行う増設親機である。通話用増設親機は、ドアホン子器との通話時に、ドアホン親機を介してドアホン子器との間で音声信号を送受信することによって、ドアホン子器との間で通話を行う。
【０００８】
図７（ｂ）に示すようにドアホン親機５０に通話用増設親機５２のみが接続される場合、伝送線Ｌ１には低周波の音声信号のみが伝送され、高周波の映像信号は伝送されないから、伝送線Ｌ１の終端で信号の反射は起こりにくい。したがって、ドアホン親機５０に対して複数台の通話用増設親機５２を分岐接続することができ、伝送線Ｌ１の終端に終端抵抗を接続する必要もない。
【０００９】
一方、図７（ａ）に示すようにドアホン親機５０に対してモニタ付き増設親機５１及び通話用増設親機５２が接続される場合、伝送線Ｌ１には音声信号と高周波の映像信号とが重畳されるため、伝送線Ｌ１の終端で反射が起こる可能性がある。そこで、ドアホン親機５０に対してモニタ付き増設親機５１と２台の通話用増設親機５２が送り接続され、終端に位置する通話用増設親機５２には終端抵抗が接続されていた。ここで、増設親機５１，５２は、接続端子Ｔ１と送り端子Ｔ２と終端抵抗（図示せず）と切替スイッチＳＷ３とをそれぞれ備えている。接続端子Ｔ１には、上流側（ドアホン親機５０側）からの伝送線Ｌ１が接続される。送り端子Ｔ２には、下流側の増設親機との間の伝送線Ｌ１が接続されており、接続端子Ｔ１と送り端子Ｔ２との間は電気的に接続されている。切替スイッチＳＷ３は、接続端子Ｔ１に終端抵抗を接続するか否かを切り替えるために用いられる。そして、終端に位置する通話用増設親機５２では、接続端子Ｔ１に終端抵抗を接続する側に切替スイッチＳＷ３が切り替えられ、それ以外の増設親機５１，５２では、接続端子Ｔ１に終端抵抗を接続しない側に切替スイッチＳＷ３が切り替えられている。
【００１０】
上述のように、ドアホン親機５０に通話用増設親機５２のみが接続される場合は、高周波の映像信号が伝送線Ｌ１に伝送されないため、伝送線Ｌ１の終端での反射を考慮しなくてもよく、ドアホン親機５０に対して複数台の通話用増設親機５２が分岐接続されている。それに対して、ドアホン親機５０にモニタ付き増設親機５１と通話用増設親機５２とが接続される場合、伝送線Ｌ１には音声信号とともに高周波の映像信号が重畳して伝送される。したがって、伝送線Ｌ１の終端で信号が反射するのを抑制するために、通話用増設親機５２はモニタ付き増設親機５１に対して送り接続されていた。通話用増設親機５２がモニタ付き増設親機５１に送り接続される場合、複数台の通話用増設親機５２を順送りに接続する必要があるため施工に手間がかかり、通話用増設親機５２を増減する場合にも施工に手間がかかるという問題があった。また、ドアホン親機５０に通話用増設親機５２のみが接続される場合は終端抵抗を設ける必要がないにも関わらず、通話用増設親機５２の各々に、終端抵抗と切替スイッチＳＷ３を備える必要があるため、コストアップになるという問題もあった。
【００１１】
本発明は上記課題に鑑みて為されたものであり、その目的とするところは、終端での反射が起こりにくい低周波の信号のみを処理する端末について配線作業の手間の削減やコストダウンを図ったインターホンシステムを提供することにある。
【課題を解決するための手段】
【００１２】
本発明のインターホンシステムは、上位端末との間で第１信号と第２信号とを周波数多重化して伝送する第１端末と、前記第１端末との間で前記第１信号及び前記第２信号のうち低周波側の前記第１信号を伝送する第２端末とを備える。前記第１端末は、伝送線がそれぞれ接続される第１端子及び第２端子と、前記第１信号を処理する第１の回路と、前記第２信号を処理する第２の回路とを備える。前記第１端子及び前記第２端子の内の一方には前記上位端末からの伝送線が、前記第１端子及び前記第２端子の内の他方には前記第２端末からの伝送線がそれぞれ接続される。前記第１の回路は、前記第１信号の周波数帯域の信号を通過させる第１フィルタを介して前記第１端子及び前記第２端子にそれぞれ接続される。前記第２の回路は、前記第２信号の周波数帯域の信号を通過させる第２フィルタを介して、前記第１端子及び前記第２端子のうちの何れかに接続される。
【００１３】
このインターホンシステムにおいて、前記第２の回路を前記第１端子及び前記第２端子の何れかに切替接続する第１切替部が前記第１端末に設けられることも好ましい。
【００１４】
このインターホンシステムにおいて、前記第１端末に検出部と制御部とが設けられることも好ましい。前記検出部は、前記第１端子及び前記第２端子に入力される信号をもとに、前記第１端子及び前記第２端子のうち前記上位端末が接続された端子を検出する。前記制御部は、前記検出部の検出結果に基づいて、前記第１端子及び前記第２端子のうち前記上位端末が接続された端子に前記第２の回路を接続させるように前記第１切替部を制御する。
【００１５】
このインターホンシステムにおいて、以下の構成をさらに備えることも好ましい。前記第１端子に前記上位端末からの伝送線が接続され、前記第２の回路は前記第２フィルタを介して前記第１端子に接続される。そして、前記第２の回路を前記第２端子に接続するか、終端抵抗に接続するかを切り替える第２切替部が前記第１端末に設けられる。
【００１６】
本発明のインターホンシステムは、上位端末との間で第１信号と第２信号とを周波数多重化して伝送する第１端末と、第１端末との間で第１信号及び第２信号のうち低周波側の第１信号を伝送する第２端末とを備える。第１端末は、伝送線がそれぞれ接続される第１端子及び第２端子と、第１信号を処理する第１の回路と、第２信号を処理する第２の回路と、第１及び第２のバッファアンプとを備える。第１端子及び第２端子の内の一方には上位端末からの伝送線が、第１端子及び第２端子の内の他方には第２端末からの伝送線がそれぞれ接続される。第１の回路は、第１信号の周波数帯域の信号を通過させる第１フィルタを介して第１端子及び第２端子にそれぞれ接続される。前記第１バッファアンプの入力端は、前記第２信号の周波数帯域の信号を通過させる第２フィルタを介して前記第１端子に接続され、前記第２バッファアンプの入力端は、別の前記第２フィルタを介して前記第２端子に接続されている。そして、前記第１バッファアンプの出力及び前記第２バッファアンプの出力が前記第２の回路に入力されることを特徴とする。
【発明の効果】
【００１７】
本発明によれば、第１端子及び第２端子のうち上位端末が接続された端子に第２フィルタを介して第２の回路が接続されるので、上位端末が接続されていない端子に接続された伝送線には第２信号は伝送されず、第１信号のみが伝送されることになる。したがって、第１端子及び第２端子のうち上位端末が接続されていない端子に接続される伝送線では信号の反射を考慮する必要が無く、第２端末を分岐接続できるから、第２端末を接続する配線作業の手間が低減される。また、第２端末に終端抵抗を備える必要が無いので、第２端末のコストダウンを図ることもできる。
【図面の簡単な説明】
【００１８】
【図１】実施形態１のインターホンシステムを構成するモニタ付き副親機及び通話副親機のブロック図である。
【図２】同上の概略的なシステム構成図である。
【図３】同上を構成するモニタ付き副親機の他の形態を示すブロック図である。
【図４】同上を構成するモニタ付き副親機のまた別の形態を示すブロック図である。
【図５】同上を構成するモニタ付き副親機のさらに別の形態を示すブロック図である。
【図６】実施形態２のインターホンシステムを構成するモニタ付き副親機のブロック図である。
【図７】（ａ）（ｂ）は従来のインターホンシステムの概略的なシステム構成図である。
【発明を実施するための形態】
【００１９】
以下に本発明の実施の形態を図面に基づいて説明する。
【００２０】
（実施形態１）
図２は本実施形態のインターホンシステムの概略的なシステム構成図であり、このインターホンシステムは、ドアホン親機１と、ドアホン子器２と、モニタ付き副親機３と、通話副親機４とを備えている。尚、ドアホン子器２、モニタ付き副親機３、通話副親機４の台数は、図２のシステム構成図に図示した台数に限定されるものではなく、ユーザの要求などに応じて適宜変更が可能である。
【００２１】
ドアホン子器２は、例えば住宅の出入り口に設置され、来訪者が住人との間で通話を行うために使用される。ドアホン子器２は、通話のためのスピーカ及びマイクと、来訪者の映像を撮像するためのカメラ（例えばＣＣＤカメラなど）を備え、伝送線Ｌ３を介してドアホン親機１に接続されている。
【００２２】
ドアホン親機１は住宅内に設置され、ドアホン子器２との間で音声信号及び映像信号を通信する。これにより、住人は、ドアホン親機１を用いて、ドアホン子器２を使用する来訪者との間で通話を行うことができる。
【００２３】
また住宅内には必要に応じて副親機（モニタ付き副親機３及び通話副親機４からなる）が設置されている。副親機は、伝送線Ｌ１，Ｌ２を介してドアホン親機１に接続されている。ドアホン親機１は、ドアホン子器２と副親機との間の通信を中継する機能を備えており、住人は、副親機を用いて、ドアホン子器２を使用する来訪者との間で通話を行うことができる。
【００２４】
第１端末たるモニタ付き副親機３は、図１のブロック図に示すように、第１端子Ｔ１と、第２端子Ｔ２と、音声回路３１（第１の回路）と、映像回路３２（第２の回路）と、第１フィルタ３３ａ，３３ｂと、第２フィルタ３４とを備えている。
【００２５】
第１端子Ｔ１には、上位端末であるドアホン親機１からの伝送線Ｌ１が接続される。伝送線Ｌ１は２線の信号線からなり、この伝送線Ｌ１には、第１信号たる音声信号と、第２信号たる映像信号と、副親機を制御するための制御信号が周波数多重化して伝送されている。ここで、第１信号たる音声信号の周波数帯域が最も低く、第２信号たる映像信号の周波数帯域が最も高くなっている。映像信号の周波数帯域は高周波であるため、伝送線の終端で反射が起こりやすく、映像信号を伝送する伝送線には、反射を抑制するための終端抵抗を設ける必要がある。
【００２６】
第２端子Ｔ２には、通話副親機４からの伝送線Ｌ２が接続されている。伝送線Ｌ２は２線の信号線からなり、この伝送線Ｌ２には音声信号と制御信号とが周波数多重化して伝送されている。尚、音声信号及び制御信号の周波数帯域は、映像信号の周波数帯域に比べて低い周波数帯域であり、高周波の映像信号に比べて伝送線Ｌ２の終端で、信号の反射は起こりにくく、信号の反射を抑制するための終端抵抗は不要である。
【００２７】
第１フィルタ３３ａ，３３ｂは、第１信号たる音声信号の周波数帯域を通過周波数帯域とするバンドパスフィルタからなる。
【００２８】
第２フィルタ３４は、第２信号たる映像信号の周波数帯域を通過周波数帯域とするバンドパスフィルタからなる。
【００２９】
音声回路３１は、通話のためのスピーカ（図示せず）とマイク（図示せず）を備え、マイクによって電気信号に変換された音声信号をドアホン親機１に送信し、ドアホン親機１から自機に送信された音声信号をスピーカから送出する。音声回路３１は、第１フィルタ３３ａを介して第１端子Ｔ１に接続されるとともに、別の第１フィルタ３３ｂを介して第２端子Ｔ２に接続されている。
【００３０】
映像回路３２は、例えば液晶ディスプレイからなるモニタ（図示せず）を備え、ドアホン親機１から送信された映像信号をもとに、ドアホン子器２のカメラで撮影された映像をモニタに表示させる。この映像回路３２は、第１端子Ｔ１及び第２端子Ｔ２のうち、上位端末であるドアホン親機１が接続された端子（本実施形態では第１端子Ｔ１）に第２フィルタ３４を介して接続されている。尚、映像回路３２が第２フィルタ３４を介して第２端子Ｔ２に接続される場合は、第２端子Ｔ２に上位端末であるドアホン親機１からの伝送線が接続され、第１端子Ｔ１には通話副親機４（第２端末）からの伝送線が接続されることになる。
【００３１】
また、第２端末たる通話副親機４は、上位側の端末（本実施形態ではモニタ付き副親機３）からの伝送線Ｌ２が接続される端子Ｔ３と、音声回路４１とを備えている。伝送線Ｌ２には音声信号と制御信号とが周波数多重化されて伝送されている。音声回路４１は、通話のためのスピーカ（図示せず）とマイク（図示せず）を備え、伝送線Ｌ２を介して入力された音声信号をスピーカから出力するとともに、マイクに入力された音声を電気信号に変換して得た音声信号を伝送線Ｌ２に送出する。
【００３２】
ここで、来訪者がドアホン子器２を用いて呼出操作を行うと、ドアホン子器２は、ドアホン親機１へ呼出信号を送信するとともに、カメラからの映像信号をドアホン親機１へ送信する。ドアホン親機１は、ドアホン子器２から呼出信号と映像信号を受信すると、呼出音をスピーカ（図示せず）から出力させるとともに、例えば液晶ディスプレイからなるモニタ（図示せず）にカメラで撮影された映像を表示させる。この時、ドアホン親機１は伝送線Ｌ２を介してモニタ付き副親機３に呼出信号及び映像信号を送信しており、モニタ付き副親機３は呼出音をスピーカから出力させるとともに、モニタに映像信号を表示させる。またモニタ付き副親機３は、ドアホン親機１から受信した呼出音を通話副親機４に送信しており、通話副親機４は呼出音をスピーカ（図示せず）から出力する。
【００３３】
この時、呼出音を聞いた住人が応答することに決めた場合、住人はドアホン親機１又は副親機（モニタ付き副親機３及び通話副親機４）を用いて応答操作を行う。応答操作が行われると、住人が応答操作を行ったドアホン親機１又は副親機と、ドアホン子器２との間で通話路が形成され、住人と来訪者との間でインターホンシステムを利用した通話が行われるのである。
【００３４】
ところで、本実施形態のモニタ付き副親機３では、第１端子Ｔ１にドアホン親機１からの伝送線Ｌ２が接続され、第２端子Ｔ２に通話副親機４からの伝送線Ｌ３が接続されている。また、音声回路３１は、第１フィルタ３３ａを介して第１端子Ｔ１に接続されるとともに、別の第１フィルタ３３ｂを介して第２端子Ｔ２に接続されている。また、映像回路３２は、第２フィルタ３４を介して第１端子Ｔ１に接続されている。
【００３５】
したがって、ドアホン親機１から伝送線Ｌ１を介してモニタ付き副親機３に多重化信号が送信された場合、第１フィルタ３３ａによって多重化信号より分離された音声信号が音声回路３１に入力され、音声通話が行われる。また第２フィルタ３４によって多重化信号より分離された映像信号が映像回路３２に入力され、映像回路３２がモニタ（図示せず）に映像を表示させる。尚、映像回路３２は終端抵抗（図示せず）を備え、この終端抵抗は、第１端子Ｔ１に接続される伝送路Ｌ１の終端に接続されるように設けられているので、終端での映像信号の反射が低減される。
【００３６】
また、第１フィルタ３３ａを通過した音声信号は、別の第１フィルタ３３ｂを通過して第２端子Ｔ２から伝送線Ｌ２に送信される。また、音声信号及び映像信号とともに周波数多重化されて伝送される制御信号も、音声信号と同様に、図示しないフィルタによって分離されて制御部（図示せず）に入力され、制御信号に応じてモニタ付き副親機３の動作が制御される。フィルタによって分離された制御信号は第２端子Ｔ２から伝送線Ｌ２に出力されるので、伝送線Ｌ２に接続される通話副親機４には映像信号は入力されない。よって、モニタ付き副親機３と通話副親機４の間では、映像信号に比べて低周波の第１信号（音声信号及び制御信号）のみが伝送されるから、終端での信号の反射が起こりにくくなる。したがって、モニタ付き副親機３に対して複数台の通話副親機４を接続する場合、複数台の通話副親機４をモニタ付き副親機３に分岐接続することが可能になり、送り接続する場合に比べて、配線作業の手間が軽減される。また、通話副親機４に終端抵抗を設ける必要が無くなり、通話副親機４のコストダウンを図ることもできる。
【００３７】
ところで、上記の実施形態では、映像回路３２（第２の回路）が、第２フィルタ３４を介して第１端子Ｔ１及び第２端子Ｔ２の内の何れかに接続されているが、映像回路３２が接続される端子を第１端子Ｔ１及び第２端子Ｔ２の内の何れかに切替可能としてもよい。
【００３８】
図３はモニタ付き副親機３のブロック図であり、モニタ付き副親機３は、第２フィルタ３４の入力端を第１端子Ｔ１及び第２端子Ｔ２の何れかに選択的に接続する切替スイッチＳＷ１（第１切替部）を備えている。尚、切替スイッチＳＷ１以外の構成は、図１に示すモニタ付き副親機３と同様であるので、共通する構成要素には同一の符号を付して、その説明は省略する。
【００３９】
このように、第１端末たるモニタ付き副親機３には、第２回路たる映像回路３２を、第１端子Ｔ１及び第２端子Ｔ２の何れかに切替接続する切替スイッチＳＷ１（第１切替部）が設けられている。したがって、ユーザが切替スイッチＳＷ１を切り替えることによって、映像回路３２の前段に設けられた第２フィルタ３４の入力端を第１端子Ｔ１及び第２端子Ｔ２の何れかに接続することができる。よって、上位端末であるドアホン親機１からの伝送線Ｌ１が第１端子Ｔ１及び第２端子Ｔ２のうち何れの端子に接続された場合でも、ユーザが切替スイッチＳＷ１を切り替えることで、上位端末からの伝送線Ｌ１が接続された端子に映像回路３２を接続できる。これにより、第１端子Ｔ１及び第２端子Ｔ２のうち上位端末が接続された側と反対側の端子からは、映像信号以外の第１信号（音声信号及び制御信号）が出力されることになり、信号の反射を考慮する必要が無いから、終端抵抗を接続する必要が無い。また、信号の反射が起こりにくいので、施工者は、第１端子Ｔ１及び第２端子Ｔ２のうち上位端末が接続された側と反対側の端子に複数台の通話副親機４を分岐接続することができ、複数台の通話用副親機４を送り接続する場合に比べて配線作業の手間を軽減できる。
【００４０】
また、図３に示すモニタ付き副親機３において、第１端子Ｔ１及び第２端子Ｔ２のうち上位端末が接続されている端子を検出する検出部と、上位端末が接続されている端子に映像回路３２が接続されるように切替スイッチＳＷ１を切り替える制御部を設けてもよい。
【００４１】
図４はモニタ付き副親機３のブロック図であり、モニタ付き副親機３は、図３に示す構成に加えて検出部３５ａ，３５ｂと、制御部３６とを備えている。検出部３５ａ，３５ｂ及び制御部３６以外の構成は、図３の回路と同様であるから、共通する構成要素には同一の符号を付して、その説明は省略する。
【００４２】
検出部３５ａは、第１端子Ｔ１に入力される信号（例えば上位端末であるドアホン親機１からモニタ付き副親機３に入力される制御信号など）をもとに、第１端子Ｔ１に上位端末（ドアホン親機１）が接続されているか否かを検出する。
【００４３】
検出部３５ｂは、第２端子Ｔ２に入力される信号（例えば上位端末であるドアホン親機１からモニタ付き副親機３に入力される制御信号など）をもとに、第２端子Ｔ２に上位端末（ドアホン親機１）が接続されているか否かを検出する。
【００４４】
制御部３６は、検出部３５ａ，３５ｂの検出結果に基づいて、第１端子Ｔ１及び第２端子Ｔ２のうち上位端末（ドアホン親機１）が接続された端子に、第２の回路たる映像回路３２を接続させるように切替スイッチＳＷ１（第１切替部）を制御する。
【００４５】
このように、制御部３６は、検出部３５ａ，３５ｂの検出結果をもとに切替スイッチＳＷ１を自動的に切り替えているので、上位端末からの伝送線が接続された端子に映像回路３２を接続でき、ユーザが切替スイッチＳＷ１を切り替える手間を低減できる。
【００４６】
また、図１に示すモニタ付き副親機３では、第１端子Ｔ１に上位端末からの伝送線Ｌ１が接続され、第２の回路たる映像回路３２が第２フィルタ３４を介して第１端子Ｔ１に接続されている。このモニタ付き副親機３において、映像回路３２を第２端子Ｔ２に接続するか、終端抵抗に接続するかを切り替える第２切替部を追加することも好ましい。
【００４７】
図５はモニタ付き副親機３のブロック図であり、第２の回路たる映像回路３２は、第２フィルタ３４ａを介して、上位端末側の第１端子Ｔ１に接続されている。また映像回路３２は、第２切替部たる切替スイッチＳＷ２の共通端子に接続されている。切替スイッチＳＷ２の一方の切替端子は別の第２フィルタ３４ｂを介して第２端子Ｔ２に接続され、切替スイッチＳＷ２の他方の切替端子は終端抵抗３７に接続されている。尚、第２フィルタ３４ｂ、終端抵抗３７及び切替スイッチＳＷ２以外の構成は、図１の回路と同様であるから、共通する構成要素には同一の符号を付して、その説明は省略する。
【００４８】
ユーザが切替スイッチＳＷ２を操作して、映像回路３２を終端抵抗３７に接続させた場合は、上述した図１の回路と同じ回路になる。
【００４９】
一方、ユーザが切替スイッチＳＷ２を操作して、映像回路３２を第２端子Ｔ２に接続させると、第２フィルタ３４ａを通過した映像信号は、映像回路３２に入力されるとともに、第２フィルタ３４ｂを通過して第２端子Ｔ２から出力される。したがって、第２端子Ｔ２に伝送線を介して別のモニタ付き副親機３が接続されると、後段のモニタ付き副親機３にも映像信号と音声信号と制御信号とを周波数多重化した信号が入力される。よって、後段のモニタ付き副親機３においてもドアホン子器１との音声通話やモニタへの映像の表示が可能になる。この場合、複数台のモニタ付き副親機３は送り接続されることになり、最下流に位置するモニタ付き副親機３では、切替スイッチＳＷ２を終端抵抗３７側に切り替える必要がある。これにより、最下流に位置するモニタ付き副親機３の第２端子Ｔ２に接続された伝送線には映像信号が伝送されなくなるから、この第２端子Ｔ２に複数台の通話副親機４を分岐接続でき、また第２端子Ｔ２に接続される通話副親機４に終端抵抗を設けなくてもよい。
【００５０】
（実施形態２）
実施形態２のインターホンシステムについて図６を参照して説明する。インターホンシステムの概略的な構成は、実施形態１のインターホンシステムと同様であるので、共通の構成要素には同一の符号を付してその説明は省略する。
【００５１】
図６はモニタ付き副親機３の概略的なブロック図である。このモニタ付き副親機３は、第１端子Ｔ１と、第２端子Ｔ２と、音声回路３１と、映像回路３２と、第１フィルタ３３ａ，３３ｂと、第２フィルタ３４ａ，３４ｂと、第１バッファアンプ３８ａと、第２バッファアンプ３８ｂとを備える。尚、第２フィルタ３４ａ，３４ｂ及び第１，第２バッファアンプ３８ａ，３８ｂ以外の構成は実施形態１と同様であるから、共通する構成要素には同一の符号を付して、その説明は省略する。
【００５２】
第２フィルタ３４ａ，３４ｂは、第２信号たる映像信号の周波数帯域を通過周波数帯域とするバンドパスフィルタからなる。
【００５３】
第１バッファアンプ３８ａの入力端は第２フィルタ３４ａを介して第１端子Ｔ１に接続され、第２バッファアンプ３８ｂの入力端は別の第２フィルタ３４ｂを介して第２端子Ｔ２に接続されている。そして、第１バッファアンプ３８ａの出力及び第２バッファアンプ３８ｂの出力が映像回路３２（第２の回路）に入力されている。
【００５４】
このモニタ付き副親機３では、上位端末であるドアホン親機１からの伝送線が第１端子Ｔ１に接続された場合、第２フィルタ３４ａを通過した映像信号がバッファアンプ３８ａを介して映像回路３２に入力され、第２端子Ｔ２からは映像信号が出力されない。また、上位端末であるドアホン親機１からの伝送線が第２端子Ｔ２に接続された場合、第２フィルタ３４ｂを通過した映像信号がバッファアンプ３８ｂを介して映像回路３２に入力され、第１端子Ｔ１からは映像信号が出力されない。このように、第１端子Ｔ１及び第２端子Ｔ２のうち、上位端末であるドアホン親機１が接続された端子と反対側の端子からは高周波の映像信号が送信されないから、この端子には複数台の通話副親機４を分岐接続でき、通話副親機４の配線作業の手間を軽減できる。また、通話副親機４に終端抵抗を備える必要が無いので、通話副親機４のコストダウンを図ることができる。
【符号の説明】
【００５５】
１  ドアホン親機（上位端末）
２  ドアホン子器
３  モニタ付き副親機（第１端末）
４  通話副親機（第２端末）
３１  音声回路（第１の回路）
３２  映像回路（第２の回路）
３３ａ，３３ｂ  第１フィルタ
３４  第２フィルタ
Ｔ１  第１端子
Ｔ２  第２端子
【図１】
2014068147.tif 000003
【図２】
2014068147.tif 000004
【図３】
2014068147.tif 000005
【図４】
2014068147.tif 000006
【図５】
2014068147.tif 000007
【図６】
2014068147.tif 000008
【図７】
2014068147.tif 000009